(57)【特許請求の範囲】
【請求項１】
競技の投票券を購入する際に用いる投票カード発行装置であって、
投票情報を表示し、かつ、申し込み内容を入力するためのタッチパネルと、
前記タッチパネルから入力された投票券の発売日が競技の当日であるかどうかを判断する判断手段と、
前記判断手段により、前記入力された発売日が競技の当日であると判断された場合、前記発売日の入力時点で購入可能な投票情報を、上位装置から受信する受信手段と、
前記受信された投票情報を前記タッチパネルに表示し、該投票情報の表示された前記タッチパネルから所望の申込み内容を入力させ、該入力された申込み内容に基づいて、所定の位置をマーキングした投票カードを発行する制御手段と、
を備えたことを特徴とする投票カード発行装置。
【請求項２】
競技の投票券を購入する際に用いる投票カード発行方法であって、
投票券の発売日をタッチパネルから入力させ、該入力された発売日が競技の当日であるかどうかを判断し、
前記入力された発売日が競技の当日であると判断された場合、前記発売日の入力時点で購入可能な投票情報を、上位装置から受信し、
前記受信した投票情報を前記タッチパネルに表示し、
前記投票情報の表示された前記タッチパネルから所望の申込み内容を入力させ、該入力された申込み内容に基づいて、所定の位置をマーキングした投票カードを発行することを特徴とする投票カード発行方法。
【発明の詳細な説明】
（目次）
発明の属する技術分野
従来の技術（図６、図７）
発明が解決しようとする課題
課題を解決するための手段
発明の実施の形態（図１〜図５）
発明の効果
【０００１】
【発明の属する技術分野】
本発明は、競輪、競馬、競艇、オートレース等の公営競技における投票券を購入する際に用いる投票カードを発行するための投票カード発行装置及び投票カード発行方法に関するものである。
【０００２】
【従来の技術】
従来、公営競技場において、入場者（以下、顧客と言う）が投票券を購入するにあたっては、窓口業務簡略化のため、予め用意されている投票カードを顧客が提出して投票券を購入することになっている。
【０００３】
この投票カードは、図６に示すように、競馬場名、レース番号、レース日、式別、馬番、枠番、金額を記入する欄があり、投票券を購入したい人は、投票カードの該当部分を鉛筆等でマーク、即ちぬりつぶさなければいけない。
【０００４】
しかし、一般にこの種のマークシートカードは、マークシートリーダと呼ばれる機械で読み込み処理するため、前記マークシートカードに書かれている内容は人間には不親切なものである。
【０００５】
投票カードも例外ではなく、記入に際して戸惑う人も多い。
【０００６】
そのため、マークシートカードに不慣れな人に対しては、係りの人が個別に対応し、入力情報を聞き出し、その人の代わりに前記投票カードに記入しているというのが現状である。
【０００７】
そこで、所望の申し込み内容を自動的にマーキングして投票カードを発行する投票カード発行装置が提案されている。
【０００８】
従来の投票カード発行装置の動作を図７に示すフローチャートを参照しながら説明する。
【０００９】
先ず、タッチパネルに入力案内を表示し、その表示内容に従って、ステップ７１で購入を希望する投票券の取扱場を、ステップ７２でレース番号を、ステップ７３で式別を、それぞれ顧客においてタッチパネルから入力操作させる。
【００１０】
同様に、タッチパネルの表示内容に従って、ステップ７４で所望の枠番を、ステップ７５で金額を、それぞれ顧客においてタッチパネル部から入力させる。
【００１１】
その後、ステップ７６において、終了か否かを顧客に選択させ、終了でない場合、すなわち他の枠番を申し込みたい場合は、ステップ７４に戻って入力操作を行わせる。
【００１２】
また、所望の申込み内容を入力し終えた場合は、ステップ７７において、タッチパネルに上記の操作による申し込み内容を表示して、顧客に確認させる。
【００１３】
ここで、申し込み内容が正しい場合は、ステップ７８で顧客に発行許可を入力操作させ、間違っている場合は、所要の入力操作を行わせて、ステップ７１に戻る。
【００１４】
ステップ７８で発行許可が入力されたら、投票カードを投票カード発行部に供給し、ステップ７９で投票カード発行部において、入力された申込み内容に基づいて所定の位置にマーキングし、そのマーキングした投票カードをステップ８０で排出する。
【００１５】
【発明が解決しようとする課題】
しかしながら、従来の投票カード発行装置は、実際のレース状況に応じた対応ができなかった為、例えば悪天候によってレースが中止になった場合や出走取り消しになった場合でも、無効な投票カードを発行してしまっていた。
【００１６】
このため、投票券を発行する際に顧客に迷惑をかけていた。
【００１７】
本発明は、このような課題に鑑み創案されたもので、実際のレース状況に応じた対応をして有効な投票カードを発行することによって、顧客サービスを向上させる投票カード発行装置および投票カード発行方法を提供することを目的とする。
【００１８】
【課題を解決するための手段】
上記目的を達成するために、本発明の投票カード発行装置（請求項１）は、競技の投票券を購入する際に用いる投票カード発行装置であって、投票情報を表示し、かつ、申し込み内容を入力するためのタッチパネルと、タッチパネルから入力された投票券の発売日が競技の当日であるかどうかを判断する判断手段と、入力された発売日が競技の当日であると判断された場合、発売日の入力時点で購入可能な投票情報を、上位装置から受信する受信手段と、受信された投票情報をタッチパネルに表示し、該投票情報の表示されたタッチパネルから所望の申込み内容を入力させ、入力された申込み内容に基づいて、所定の位置をマーキングした投票カードを発行する制御手段と、を備えたことを特徴としている。
【００１９】
また、本発明の投票カード発行方法（請求項２）は、競技の投票券を購入する際に用いる投票カード発行方法であって、投票券の発売日をタッチパネルから入力させ、入力された発売日が競技の当日であるかどうかを判断し、入力された発売日が競技の当日であると判断された場合、発売日の入力時点で購入可能な投票情報を、上位装置から受信し、受信した投票情報をタッチパネルに表示し、投票情報の表示されたタッチパネルから所望の申込み内容を入力させ、入力された申込み内容に基づいて、所定の位置をマーキングした投票カードを発行することを特徴としている。
【００２０】
【発明の実施の形態】
以下、図面を参照して本発明の実施の形態を説明する。
【００２１】
まず、図１〜図５を参照しながら、本発明の一実施形態としての投票カード発行装置の詳細な構成について説明する。
【００２２】
なお、本実施形態においても、競輪、競馬、競艇、オートレース等の公営競技における投票券を購入する際に用いる投票カードを発行するための投票カード発行装置について説明する。
【００２３】
図１において、１０は投票カード発行装置である。１１は各種の演算制御処理を行なうＭＰＵである。
【００２４】
１２は処理シーケンスがプログラムとして書き込まれるＲＯＭであり、１３はＭＰＵ１１から出力されるデータを基に投票カードを印字し発行する投票カード発行部である。
【００２５】
１４はホストコンピュータであり、１５はホストコンピュータ１４とデータのやりとりを行なう通信部である。
【００２６】
１６はホストコンピュータ１４から送られてきたレース毎の投票情報を格納する投票情報格納テーブルである。
【００２７】
１７は申し込み内容を入力する入力機能、および入力された申込み内容、入力案内等を表示する表示機能を有するタッチパネルである。
【００２８】
１８は投票カード発行部１３によって発行された投票カードを排出する投票カード排出部である。
【００２９】
１９は各構成要素間を接続するバスである。
【００３０】
そして、ＭＰＵ１１、ＲＯＭ１２、投票カード発行部１３、通信部１５、投票情報格納テーブル１６、タッチパネル１７、投票カード排出部１８、バス１９とで投票カード発行装置１０を構成している。
【００３１】
次に、本実施形態の投票カード発行処理について、図２〜図５を参照しながら説明する。なお、図２は、本実施形態の投票カード発行装置１０における投票カード発行処理を説明するためのフローチャートであり、図３〜図５は、それぞれ、投票カード発行装置１０における顧客操作画面の一例を示す図である。
【００３２】
投票カード発行装置１０のタッチパネル１７には図３に示す様な表示がなされており、顧客に対して「発売日」を入力するように案内している。
【００３３】
投票カード発行処理は、図２のフローチャートに示すように、先ず、ステップ２１で顧客にタッチパネル部１７に表示されている「発売日」を選択させることによって始まる。
【００３４】
その入力内容に従って、ステップ２２で当日発売か否かを判断し、前々日／前日発売ならばホストコンピュータ１４より、開催場及びレース情報を同時に取得し、図４に示す様な表示がなされる。これは、前々日／前日発売ならば、購入可能なレース情報が限られてくるからである。
【００３５】
当日発売ならば、ステップ２３で、ホストコンピュータ１４より、開催場情報を取得する。
【００３６】
ステップ２４で購入を希望する投票券の開催場がタッチパネル１７より顧客から入力されると、ステップ２５でホストコンピュータ１４より、レース情報を取得する。
【００３７】
ステップ２６でレース番号が入力されると、図５に示す様な式別情報を選択させる表示がなされ、ステップ２７でタッチパネル部１７から顧客に式別を選択操作させる。
【００３８】
同様に、タッチパネル部１７の表示内容に従って、ステップ２８で所望の枠番を、ステップ２９で金額を、それぞれ顧客においてタッチパネル部１７から入力操作を行わせる。
【００３９】
その後、ステップ３０において、終了か否かを顧客に選択させ、終了でない場合、すなわち他の枠番を申し込みたい場合は、ステップ２８に戻って入力操作を行わせる。
【００４０】
また、所望の申込み内容を入力し終えた場合は、ステップ３１において、タッチパネル部１７に上記の操作による申し込み内容を表示して、顧客に確認させる。
【００４１】
ここで、申し込み内容が正しい場合は、ステップ３２で顧客に発行許可を入力操作させ、間違っている場合は、所要の入力操作を行わせて、ステップ２１に戻る。
【００４２】
ステップ３２で発行許可が入力されたら、投票カードを投票カード発行部に供給し、ステップ３３で投票カード発行部において、入力された申込み内容に基づいて所定の位置にマーキングし、そのマーキングした投票カードをステップ３４で排出する。
【００４３】
上述の実施の形態例では、競馬投票システムについて枠番指定を行なう場合を例にとって説明したが、その他の競輪，競艇等にも適用することができる。
【００４４】
【発明の効果】
以上詳述したように、本発明の投票カード発行装置（請求項１）および投票カード発行方法（請求項２）によれば、実際のレース状況に応じた対応をして有効な投票カードを発行することによって、顧客サービスを向上させることができる。
【図面の簡単な説明】
【図１】本発明の一実施形態としての投票カード発行装置の機能的な構成を示すブロック図である。
【図２】本発明の一実施形態としての投票カード発行装置における発行処理を説明するためのフローチャートである。
【図３】本発明の一実施形態としての投票カード発行装置における顧客操作画面の一例を示す図である。
【図４】本発明の一実施形態としての投票カード発行装置における顧客操作画面の一例を示す図である。
【図５】本発明の一実施形態としての投票カード発行装置における顧客操作画面の一例を示す図である。
【図６】本発明に用いられる投票カードの一例を示す図である。
【図７】従来の投票カード発行装置における発行処理を説明するためのフローチャートである。
【符号の説明】
１０  投票カード発行装置
１１  ＭＰＵ
１２  ＲＯＭ
１３  投票カード発行部
１４  ホストコンピュータ
１５  通信部
１６  投票情報格納テーブル
１７  タッチパネル（顧客操作画面）
１８  投票カード排出部
１９  バス
【図１】
0004505894.tif 000002
【図２】
0004505894.tif 000003
【図３】
0004505894.tif 000004
【図４】
0004505894.tif 000005
【図５】
0004505894.tif 000006
【図６】
0004505894.tif 000007
【図７】
0004505894.tif 000008